(57)【要約】【課題】電力消費量を抑制した無線通信方法を提供する。【解決手段】方法は、無線通信デバイスによって、ブロードキャストメッセージを端末デバイスに送信するステップを含む。ブロードキャストメッセージは、無線通信デバイスのデバイス識別情報を含み得る。方法は、無線通信デバイスによって、端末デバイスによって送信された走査要求メッセージを受信するステップをさらに含み得る。方法は、走査要求メッセージを受信することに応答して、無線通信デバイスによって、走査応答メッセージを端末デバイスに送信するステップをさらに含み得る。走査応答メッセージは、無線通信デバイスと関連付けられた属性データを含み得、属性データは、無線通信デバイスの物理的な場所と関連付けられたコンテンツの識別情報を含み得る。【選択図】図１
2020025326.tif 000002
【特許請求の範囲】
【請求項１】
無線通信デバイスによって、ブロードキャストメッセージを端末デバイスに送信するステップであって、前記ブロードキャストメッセージが、前記無線通信デバイスのデバイス識別情報を含む、ステップと、
前記無線通信デバイスによって、前記端末デバイスによって送信された走査要求メッセージを受信するステップと、
前記走査要求メッセージを受信することに応答して、前記無線通信デバイスによって、走査応答メッセージを前記端末デバイスに送信するステップであって、前記走査応答メッセージが、前記無線通信デバイスと関連付けられた属性データを含み、前記属性データが、前記無線通信デバイスの物理的な場所と関連付けられたコンテンツの識別情報を含む、ステップと
を含む、無線通信方法。
【請求項２】
前記デバイス識別情報が、ＵＵＩＤ（Universally Unique Identifier）、MajorIDおよびMinorIDの少なくとも１つを含む、請求項１に記載の方法。
【請求項３】
前記無線通信デバイスによって、前記コンテンツが変化した際に前記属性データを更新するステップと、
別の走査要求メッセージを受信した際に、更新された走査応答メッセージを送信するステップと
をさらに含む、請求項１に記載の方法。
【請求項４】
前記走査応答メッセージが、前記無線通信デバイスを識別するための第２の識別情報をさらに含む、請求項１に記載の方法。
【請求項５】
前記第２の識別情報が、MajorIDおよびMinorIDの少なくとも１つを含む、請求項４に記載の方法。
【請求項６】
前記無線通信デバイスによって、前記デバイス識別情報をサーバに登録するステップ
をさらに含む、請求項１に記載の方法。
【請求項７】
端末デバイスによって、無線通信デバイスによって送信されたブロードキャストメッセージを受信するステップであって、前記ブロードキャストメッセージが、前記無線通信デバイスのデバイス識別情報を含む、ステップと、
前記ブロードキャストメッセージを受信した後で、前記端末デバイスによって、走査要求メッセージを前記無線通信デバイスに送信するステップと、
前記端末デバイスによって、前記無線通信デバイスによって送信された走査応答メッセージを受信するステップであって、前記走査応答メッセージが、前記無線通信デバイスと関連付けられた属性データを含み、前記属性データが、前記無線通信デバイスの物理的な場所と関連付けられたコンテンツの識別情報を含む、ステップと、
前記端末デバイスによって、前記属性データに基づいて前記コンテンツを取得するステップと
を含む、無線通信方法。
【請求項８】
前記デバイス識別情報が、ＵＵＩＤ（Universally Unique Identifier）、MajorIDおよびMinorIDの少なくとも１つを含む、請求項７に記載の方法。
【請求項９】
前記走査応答メッセージが、前記無線通信デバイスを識別するための第２の識別情報をさらに含み、前記方法が、
前記ブロードキャストメッセージの前記デバイス識別情報および前記走査応答メッセージの前記第２の識別情報に基づいて、前記無線通信デバイスの識別情報を決定するステップと、
前記無線通信デバイスの前記識別情報に基づいてデータベースを検索するステップであって、前記データベースが、前記無線通信デバイスの前記識別情報と前記無線通信デバイスの前記物理的な場所との間のマッピング関係を含む、ステップと、
前記無線通信デバイスの前記物理的な場所に基づいて、前記端末デバイスの場所を決定するステップと
をさらに含む、請求項７に記載の方法。
【請求項１０】
前記第２の識別情報が、MajorIDおよびMinorIDの少なくとも１つを含む、請求項９に記載の方法。
【請求項１１】
無線通信デバイスによって、ブロードキャストメッセージを端末デバイスに送信するステップであって、前記ブロードキャストメッセージが、前記無線通信デバイスのデバイス識別情報を含む、ステップと、
前記無線通信デバイスによって、前記端末デバイスによって送信された走査要求メッセージを受信するステップであって、前記走査要求メッセージが、メディア情報再生デバイスで再生されているメディア情報と関連付けられたコンテンツの取得を求める要求を含み、前記メディア情報再生デバイスが、前記コンテンツの識別情報を含む対応テーブルを格納する、ステップと、
前記対応テーブルに従って、前記コンテンツの前記識別情報を決定するステップと、
前記走査要求メッセージを受信することに応答して、前記無線通信デバイスによって、走査応答メッセージを前記端末デバイスに送信するステップであって、前記走査応答メッセージが、前記コンテンツの前記識別情報を含む、ステップと
を含む、無線通信方法。
【請求項１２】
前記対応テーブルに格納された前記識別情報が、前記コンテンツと関連付けられたネットワークアドレスを含み、前記走査応答メッセージが、前記ネットワークアドレスを含む、請求項１１に記載の方法。
【請求項１３】
前記対応テーブルに格納された前記識別情報が、前記コンテンツと関連付けられた識別（ＩＤ）情報を含み、前記走査応答メッセージが、前記ＩＤ情報を含み、前記ＩＤ情報と前記コンテンツと関連付けられたネットワークアドレスとの間の関連付け関係が、サーバ上に事前に格納される、請求項１１に記載の方法。
【請求項１４】
無線通信デバイスであって、
ブロードキャストメッセージを端末デバイスに送信するように構成された送信ユニットであって、前記ブロードキャストメッセージが、前記無線通信デバイスのデバイス識別情報を含む、送信ユニットと、
前記端末デバイスによって送信された走査要求メッセージを受信するように構成された受信ユニットと
を含み、前記送信ユニットが、前記走査要求メッセージを受信することに応答して、走査応答メッセージを前記端末デバイスに送信するようにさらに構成され、前記走査応答メッセージが、前記無線通信デバイスと関連付けられた属性データを含み、前記属性データが、前記無線通信デバイスの物理的な場所と関連付けられたコンテンツの識別情報を含む、無線通信デバイス。
【請求項１５】
前記コンテンツが変化した際に前記走査応答メッセージの前記属性データを更新するように構成された更新ユニット
をさらに含み、前記送信ユニットが、前記受信ユニットが別の走査要求メッセージを受信した際に、更新された走査応答メッセージを送信するようにさらに構成される、請求項１４に記載の無線通信デバイス。
【請求項１６】
無線通信デバイスによって送信されたブロードキャストメッセージを受信するように構成された受信ユニットであって、前記ブロードキャストメッセージが、前記無線通信デバイスのデバイス識別情報を含む、受信ユニットと、
前記受信ユニットが前記ブロードキャストメッセージを受信した後で、走査要求メッセージを前記無線通信デバイスに送信するように構成された送信ユニットであって、前記受信ユニットが、前記無線通信デバイスによって送信された走査応答メッセージを受信するようにさらに構成され、前記走査応答メッセージが、前記無線通信デバイスと関連付けられた属性データを含み、前記属性データが、前記無線通信デバイスの物理的な場所と関連付けられたコンテンツの識別情報を含む、送信ユニットと、
前記属性データに基づいて前記コンテンツを取得するように構成された取得ユニットと
を含む、端末デバイス。
【請求項１７】
前記走査応答メッセージが、前記無線通信デバイスの第２の識別情報をさらに含み、前記端末デバイスが、
前記ブロードキャストメッセージの前記デバイス識別情報および前記走査応答メッセージの前記第２の識別情報に基づいて、前記無線通信デバイスの前記識別情報を決定するように構成された決定ユニットと、
前記無線通信デバイスの前記識別情報に基づいてデータベースを検索し、前記端末デバイスの場所を決定するように構成された検索ユニットであって、前記データベースが、前記無線通信デバイスの前記識別情報と前記無線通信デバイスの前記物理的な場所との間のマッピング関係を含む、検索ユニットと、
をさらに含む、請求項１６に記載の端末デバイス。
【請求項１８】
無線通信デバイスであって、
ブロードキャストメッセージを端末デバイスに送信するように構成された送信ユニットであって、前記ブロードキャストメッセージが、前記無線通信デバイスのデバイス識別情報を含む、送信ユニットと、
前記端末デバイスによって送信された走査要求メッセージを受信するように構成された受信ユニットであって、前記走査要求メッセージが、メディア情報再生デバイスで再生されているメディア情報と関連付けられたコンテンツの取得を求める要求を含み、前記メディア情報再生デバイスが、前記コンテンツの識別情報を含む対応テーブルを格納する、受信ユニットと、
前記対応テーブルに従って、前記コンテンツの前記識別情報を決定するように構成された処理ユニットと
を含み、前記送信ユニットが、前記走査要求メッセージを受信することに応答して、走査応答メッセージを前記端末デバイスに送信するようにさらに構成され、前記走査応答メッセージが、前記コンテンツの前記識別情報を含む、無線通信デバイス。
【請求項１９】
前記対応テーブルに格納された前記識別情報が、前記コンテンツと関連付けられたネットワークアドレスを含み、前記走査応答メッセージが、前記ネットワークアドレスを含む、請求項１８に記載の無線通信デバイス。
【請求項２０】
前記対応テーブルに格納された前記識別情報が、前記コンテンツと関連付けられた識別（ＩＤ）情報を含み、前記走査応答メッセージが、前記ＩＤ情報を含み、前記ＩＤ情報と前記コンテンツと関連付けられたネットワークアドレスとの間の関連付け関係が、サーバ上に事前に格納される、請求項１８に記載の無線通信デバイス。
【発明の詳細な説明】
【技術分野】
【０００１】
関連出願の相互参照
この出願は、２０１４年９月３０日に出願された中国特許出願第２０１４１０５２１９８７．１号に基づき、同特許への優先権を主張し、同特許の全内容は、参照により本明細書に組み込まれる。
【０００２】
技術分野
本出願は、通信技術の分野に関し、より具体的には、無線通信方法および装置に関する。
【背景技術】
【０００３】
背景
Bluetooth（登録商標）Low Energy（ＢＬＥ）は、Bluetoothプロトコルバージョン４．０において取り入れられている低価格で近距離用の相互運用可能な無線技術である。ＢＬＥは、ＢＬＥ対応デバイスに対する低消費電力、長いバッテリ寿命および強化された通信範囲を含む、魅力的な特徴を提供する。
【０００４】
iBeacon（登録商標）は、２０１３年６月にApple（登録商標） Companyによって導入された屋内のＢＬＥ−ベースの測位技術である。iBeacon技術は、ＢＬＥ対応デバイスによって送信されるブロードキャストメッセージフォーマットを定義し、ブロードキャストメッセージフォーマットは、iBeaconメッセージと称することができる。iBeacon技術仕様への準拠が可能な無線通信デバイスは、iBeaconデバイスと称することができる。iBeaconメッセージは、一般に、無線通信デバイスを一意に識別するために使用されるＵＵＩＤ（Universally Unique Identifier）、MajorIDおよびMinorIDを含む。
【０００５】
iBeaconデバイスは、一定の時間間隔でiBeaconメッセージをブロードキャストする。ＢＬＥ技術をサポートする端末デバイス（ＩＯＳデバイスなど）は、モニタリングを通じてブロードキャストメッセージを受信し、iBeaconデバイスの識別情報を得るためにブロードキャストメッセージを復号し、受信したブロードキャストメッセージの信号強度に基づいて端末デバイスとiBeaconデバイスとの間の距離を決定することができる。ブロードキャストメッセージで保持される情報は、iBeacon技術仕様において厳密に定義されており、ブロードキャストメッセージの情報に対する変更または追加があれば、端末デバイスは、メッセージを正しく復号することができずに、測位の失敗をもたらす。
【０００６】
iBeacon技術では、測位機能は、無線通信デバイスの識別情報を物理的な場所と関連付けることを通じて実装され、物理的な場所は、デパートの広告画面、ストアの靴、景勝地の彫像などを示し得る。物理的な場所は、可変属性を有する場合が多い。例えば、デパートの広告画面は、異なる時間に異なる広告を示すことができる。iBeaconブロードキャストメッセージのフォーマットはプロトコル仕様によって標準化されているため、ブロードキャストメッセージに可変属性データを含めることは実現可能ではなく、ブロードキャストメッセージは、それ自体では、物理的な場所の属性データが変化したかどうかを示すことはない。
【発明の概要】
【発明が解決しようとする課題】
【０００７】
一般に、ＢＬＥ接続は、無線通信デバイスと関連付けられた可変属性データを伝達するために、端末デバイスと無線通信デバイスとの間で確立することができる。しかし、ＢＬＥ接続はポイントツーポイント接続であるため、無線通信デバイスは、属性データを複数の端末デバイスに同時にブロードキャストすることができず、属性データの送信の遅延をもたらす。その上、ＢＬＥ接続状態での無線通信デバイスの電力消費量は、ブロードキャスト状態でのものよりかなり大きい。可変属性データを送信するためのＢＬＥ接続の確立は、無線通信デバイスの電力消費量を大幅に増大させることになる。
【課題を解決するための手段】
【０００８】
概要
本開示は、無線通信方法を提供する。いくつかの実施形態と一致して、方法は、無線通信デバイスによって、ブロードキャストメッセージを端末デバイスに送信するステップを含む。ブロードキャストメッセージは、無線通信デバイスのデバイス識別情報を含み得る。方法は、無線通信デバイスによって、端末デバイスによって送信された走査要求メッセージを受信するステップをさらに含み得る。方法は、走査要求メッセージを受信することに応答して、無線通信デバイスによって、走査応答メッセージを端末デバイスに送信するステップをさらに含み得る。走査応答メッセージは、無線通信デバイスと関連付けられた属性データを含み得、属性データは、無線通信デバイスの物理的な場所と関連付けられたコンテンツの識別情報を含み得る。
【０００９】
いくつかの実施形態と一致して、この開示は、別の無線通信方法を提供する。方法は、端末デバイスによって、無線通信デバイスによって送信されたブロードキャストメッセージを受信するステップを含む。ブロードキャストメッセージは、無線通信デバイスのデバイス識別情報を含み得る。方法は、ブロードキャストメッセージを受信した後で、端末デバイスによって、走査要求メッセージを無線通信デバイスに送信するステップと、端末デバイスによって、無線通信デバイスによって送信された走査応答メッセージを受信するステップとをさらに含み得る。走査応答メッセージは、無線通信デバイスと関連付けられた属性データを含み得、属性データは、無線通信デバイスの物理的な場所と関連付けられたコンテンツの識別情報を含み得る。
【００１０】
いくつかの実施形態と一致して、この開示は、別の無線通信方法を提供する。方法は、無線通信デバイスによって、ブロードキャストメッセージを端末デバイスに送信するステップを含む。ブロードキャストメッセージは、無線通信デバイスのデバイス識別情報を含み得る。方法は、無線通信デバイスによって、端末デバイスによって送信された走査要求メッセージを受信するステップをさらに含み得る。走査要求メッセージは、メディア情報再生デバイスで再生されているメディア情報と関連付けられたコンテンツの取得を求める要求を含み得る。メディア情報再生デバイスは、コンテンツの識別情報を含む対応テーブルを格納することができる。方法は、対応テーブルに従って、コンテンツの識別情報を決定するステップと、走査要求メッセージを受信することに応答して、無線通信デバイスによって、走査応答メッセージを端末デバイスに送信するステップとをさらに含み得る。走査応答メッセージは、コンテンツの識別情報を含み得る。
【００１１】
いくつかの実施形態と一致して、この開示は、無線通信デバイスを提供する。無線通信デバイスは、ブロードキャストメッセージを端末デバイスに送信するように構成された送信ユニットを含む。ブロードキャストメッセージは、無線通信デバイスのデバイス識別情報を含み得る。無線通信デバイスは、端末デバイスによって送信された走査要求メッセージを受信するように構成された受信ユニットをさらに含み得る。送信ユニットは、走査要求メッセージを受信することに応答して、走査応答メッセージを端末デバイスに送信するようにさらに構成することができる。走査応答メッセージは、無線通信デバイスと関連付けられた属性データを含み得、属性データは、無線通信デバイスの物理的な場所と関連付けられたコンテンツの識別情報を含み得る。
【００１２】
いくつかの実施形態と一致して、この開示は、端末デバイスを提供する。端末デバイスは、無線通信デバイスによって送信されたブロードキャストメッセージを受信するように構成された受信ユニットを含む。ブロードキャストメッセージは、無線通信デバイスのデバイス識別情報を含み得る。端末デバイスは、受信ユニットがブロードキャストメッセージを受信した後で、走査要求メッセージを無線通信デバイスに送信するように構成された送信ユニットをさらに含み得る。受信ユニットは、無線通信デバイスによって送信された走査応答メッセージを受信するようにさらに構成することができる。走査応答メッセージは、無線通信デバイスと関連付けられた属性データを含み得、属性データは、無線通信デバイスの物理的な場所と関連付けられたコンテンツの識別情報を含み得る。端末デバイスは、属性データに基づいてコンテンツを取得するように構成された取得ユニットをさらに含み得る。
【００１３】
いくつかの実施形態と一致して、この開示は、別の無線通信デバイスを提供する。無線通信デバイスは、ブロードキャストメッセージを端末デバイスに送信するように構成された送信ユニットを含む。ブロードキャストメッセージは、無線通信デバイスのデバイス識別情報を含み得る。無線通信デバイスは、端末デバイスによって送信された走査要求メッセージを受信するように構成された受信ユニットをさらに含み得る。走査要求メッセージは、メディア情報再生デバイスで再生されているメディア情報と関連付けられたコンテンツの取得を求める要求を含み得る。メディア情報再生デバイスは、コンテンツの識別情報を含む対応テーブルを格納することができる。無線通信デバイスは、対応テーブルに従って、コンテンツの識別情報を決定するように構成された処理ユニットをさらに含み得る。送信ユニットは、走査要求メッセージを受信することに応答して、走査応答メッセージを端末デバイスに送信するようにさらに構成することができる。走査応答メッセージは、コンテンツの識別情報を含み得る。
【００１４】
開示される実施形態の追加の目的および利点は、以下の説明においてある程度記載されており、説明からある程度明らかになるか、または、実施形態の実践により学習することができる。開示される実施形態の目的および利点は、請求項に記載される要素および組合せによって実現および達成することができる。
【００１５】
前述の一般的な説明と以下の詳細な説明は両方とも、例示的なものであり、説明することのみを目的とし、特許請求されるような開示される実施形態を制限しようとするものではないことを理解されたい。
【００１６】
図面の簡単な説明
この明細書に組み込まれ、この明細書の一部を構成する添付の図面は、本発明と一致する実施形態を示し、説明と共に、本発明の原理を説明する上で役立つ。
【図面の簡単な説明】
【００１７】
【図１】この開示のいくつかの実施形態と一致する、例示的な無線通信方法のフローチャートである。
【図２】この開示のいくつかの実施形態と一致する、ブロードキャストメッセージフォーマットを示す概略図である。
【図３】この開示のいくつかの実施形態と一致する、別の例示的な無線通信方法のフローチャートである。
【図４】この開示のいくつかの実施形態と一致する、例示的な無線通信方法のフロー図である。
【図５】この開示のいくつかの実施形態と一致する、別の例示的な無線通信方法のフロー図である。
【図６】この開示のいくつかの実施形態と一致する、別の例示的な無線通信方法のフローチャートである。
【図７】この開示のいくつかの実施形態と一致する、例示的な無線通信デバイスのブロック図である。
【図８】この開示のいくつかの実施形態と一致する、例示的な端末デバイスのブロック図である。
【図９】この開示のいくつかの実施形態と一致する、別の例示的な無線通信デバイスのブロック図である。
【発明を実施するための形態】
【００１８】
実施形態の説明
ここでは、例示的な実施形態を詳細に参照し、その例は、添付の図面に示される。以下の説明は、添付の図面を参照し、添付の図面では、異なる図面における同じ番号は、別段の表現がない限り、同じまたは同様の要素を表す。例示的な実施形態の以下の説明において記載される実装形態は、本発明と一致するすべての実装形態を表すわけではない。代わりに、それらの実装形態は、添付の請求項に記述される本発明に関連する態様と一致する装置および方法の単なる例である。
【００１９】
この開示のいくつかの実施形態と一致して、本明細書で提供される無線通信方法およびデバイスは、iBeaconデバイス、Beacon基地局（xBeacon）または端末デバイスなどのＢＬＥ対応通信デバイスに適用することができる。本開示で説明される端末デバイスは、ＢＬＥ技術をサポートする機能を有するように構成することができる。iBeaconデバイスおよびＩＯＳ端末デバイスは、本開示では、提供される実施形態を示すための単なる例として言及され、本開示は、それに限定されることを意図しない。
【００２０】
図１は、この開示のいくつかの実施形態と一致する、例示的な無線通信方法１００のフローチャートである。例示的な方法１００は、ＢＬＥ対応デバイス、iBeaconデバイスまたは同様のものなどの無線通信デバイスによって実行することができる。図１を参照すると、方法１００は、以下のステップを含む。
【００２１】
ステップＳ１０１では、無線通信デバイスは、無線通信デバイスのサービスエリア内の端末デバイスにブロードキャストメッセージを送信する。
【００２２】
ブロードキャストメッセージは、無線通信デバイスのデバイス識別情報を含む。例えば、デバイス識別情報は、ＵＵＩＤ（Universally Unique Identifier）、MajorID、MinorIDおよび／またはそれらの組合せを含み得る。
【００２３】
図２は、この開示のいくつかの実施形態と一致する、ブロードキャストメッセージフォーマット２００を示す概略図である。いくつかの実装形態では、ブロードキャストメッセージのフォーマットは、ＢＬＥプロトコルにおいて定義される広告フレームと同様のものであり得、無線通信デバイスの識別情報を含む。図２に示されるように、ブロードキャストメッセージは、０〜Ｎの広告（ＡＤ）構造を含み得、各ＡＤ構造は、データ長フィールド（ＡＤ長）、データタイプフィールド（ＡＤタイプ）およびペイロードフィールド（ＡＤペイロード）を含み得る。ブロードキャストメッセージの最大長は、３１バイトに設定することができる。例えば、iBeaconプロトコルにおいて指定されるブロードキャストメッセージは、２つのＡＤ構造を含み、ブロードキャストメッセージの長さは、３０バイトに設定される。
【００２４】
iBeaconのデータは、ＡＤペイロードに書き込むことができ、ＵＵＩＤ、MajorID、MinorID、Measured Powerまたは同様のものを含む。ＵＵＩＤは、iBeaconデバイスまたはiBeaconデバイスのグループの一意識別として機能する１２８ビットの識別子である。ＵＵＩＤは、一般に、デパート、チェーンストアまたは同様のものなどの企業および組織を識別するために使用される。
【００２５】
MajorIDおよびMinorIDは、１６ビットの識別子であり、自己定義することができ、別々のiBeaconデバイスの各々を識別するために使用することができる。例えば、iBeaconデバイスがチェーンストアで使用される際は、ＵＵＩＤは、ストアブランドを識別する同じものであり得、MajorIDは、ストアの領域を識別することができ、MinorIDは、特定のストアのＩＤを識別することができる。
【００２６】
Measured Powerフィールドは、参照受信信号強度を示し、受信機は、参照受信信号強度に基づいてiBeaconデバイスまでの距離を計算することができる。
【００２７】
一意のiBeaconデバイスは、ＵＵＩＤ、MajorIDおよびMinorIDを組み合わせて使用して識別することができ、各iBeaconデバイスは、現実世界の物理的な場所を表し得る。いくつかの実装形態では、物理的な場所は、iBeaconメッセージの部分情報が対応するデータベースの一意識別子を形成する場合は、iBeaconメッセージの部分情報に基づいて決定することができる。例えば、サーバが小さな領域のiBeaconデバイスのコンテンツのみを含む場合は、iBeaconデバイスは、同じＵＵＩＤを共有している可能性があり、コンテンツは、iBeaconデバイスのMajorIDおよびMinorIDのみを含み得る。このシナリオでは、MinorIDおよびMajorIDの組合せを使用することによって、具体的な物理的な場所を決定することができる。
【００２８】
無線通信デバイス（iBeaconデバイスなど）がある特定の場所に配置される際、無線通信デバイスの識別情報は、サーバに登録され、識別情報と物理的な場所との間のマッピング関係は、サーバのデータベースに格納される。例えば、特定のストアが、対応する物理的な場所で、ある特定のカテゴリの靴を販売する際、そのような情報は、サーバに登録および格納することができる。
【００２９】
iBeaconデバイスは、そのデバイス識別情報をブロードキャストメッセージにおいて定期的にブロードキャストし、iBeaconデバイスの送信可能範囲に入る端末デバイス（ＩＯＳデバイスなど）は、ブロードキャストメッセージを受信することができる。ＵＵＩＤ、MajorIDおよびMinorIDを一致させることにより、端末デバイスは、近くのiBeaconデバイスを識別し、iBeaconデバイスに対応する物理的な場所の情報を受信することができる。
【００３０】
いくつかの実装形態では、メッセージは、場所特有のプロモーションのために端末デバイスにプッシュすることができる。例えば、衣料品ストアにiBeacon無線通信デバイスが提供され、衣料品ストアは、iBeaconブロードキャストメッセージを定期的に送信することができる。iBeaconアプリケーション（ＡＰＰ）がインストールされた携帯電話のユーザが衣料品ストアの近くを通り掛かると、携帯電話は、iBeaconデバイスによるブロードキャストメッセージを受信し、衣料品ストアのＩＤを得ることができる。次いで、携帯電話は、衣料品ストアのＩＤおよび対応するプロモーション情報を事前に格納しているサーバにアクセスすることができ、サーバは、ＡＰＰを通じて表示するために、ストアのプロモーション情報を携帯電話に送信することができる。例えば、サーバは、「あなたがＸＸガイドウェブサイトで称賛したセーターがあなたの２０メートル先のＸＸストアにあります」、「あなたが８回閲覧したｘｘブランドの黒のワンピースが今日は５０％割引です」などの特別なオファを携帯電話に送信することができる。ユーザがストアに入り、ある特定の商品に近づくと、サーバは、商品についてのさらなる情報を送信し、ＡＰＰを通じて情報を表示することができる。
【００３１】
ステップＳ１０２では、無線通信デバイスは、端末デバイスによって送信された走査要求メッセージを受信する。走査要求メッセージは、ブロードキャストメッセージを受信することに応答して、端末デバイスによって送信され、ユニキャストメッセージであり得る。
【００３２】
ステップＳ１０３では、走査要求メッセージを受信することに応答して、無線通信デバイスは、走査応答メッセージを端末デバイスに送信する。走査応答メッセージは、無線通信デバイスが位置する物理的な場所と関連付けられたコンテンツの識別情報を含む属性データを含む。属性データは、静的属性データおよび／または可変属性データを含み得る。それに応じて、端末デバイスは、属性データに従って、無線通信デバイスが位置する物理的な場所と関連付けられたコンテンツを取得する。
【００３３】
いくつかの実施形態では、属性データは、可変属性データを含み得る。例えば、iBeaconデバイスがデパートの表示画面に配置されている際、表示画面は、異なる時間帯の間に異なる広告コンテンツを再生する。このシナリオでは、属性データは、プレーヤＩＤ（playerID）およびコンテンツＩＤ（contentID）など、現在再生されている広告コンテンツのメディアファイルに関連し得、携帯電話のユーザは、属性データ（contentIDなど）に従って、サーバから対応するＵＲＬを取得し、ＵＲＬを開くことができる。別の例として、iBeaconデバイスのグループが商人のストアに配置されている際、商人は、異なる時間帯の間に異なる特別なオファを提供することができ、特別なオファのコンテンツは、属性データとして使用し、走査応答メッセージに含めることができる。
【００３４】
走査応答メッセージのフォーマットは、図２に示されるブロードキャストメッセージのフォーマットと同様に定義することができる。例えば、走査応答メッセージの最大長は、３１バイトに設定することができ、ＡＤペイロードの最大長は、２９バイトに設定することができる。従って、iBeaconデバイスは、２９バイトの属性データを送信することができ、それにより、動的属性情報について端末デバイスに通知する。
【００３５】
いくつかの実施形態では、無線通信デバイスの属性が変化すると、無線通信デバイスは、走査応答メッセージの属性データを更新し、後の時間に別の走査要求メッセージを受信した際に、更新した走査応答メッセージを送信することができる。
【００３６】
例えば、デパートの画面上で再生されている広告コンテンツが変化すると、属性データが変化し、iBeaconデバイスは、サーバに対する属性データをリアルタイムで更新し、次回に端末デバイスから走査要求メッセージを受信した際に、更新した走査応答メッセージを端末デバイスに送信できるように、走査応答メッセージを更新することができる。その結果、端末デバイスは、更新された走査応答メッセージに従って、サーバから更新データを取得することができる。同様に、ストアの靴の位置が変化するか、または、同じ位置に異なる物体が配置されると、端末デバイスは、上記のリアルタイムで属性データを更新する方法を使用することによって通知を受けることができ、それにより、iBeaconデバイスが可変データを送信する能力を改善する。
【００３７】
いくつかの実施形態では、走査応答メッセージは、走査応答メッセージを受信する端末デバイスが第２の識別情報およびデバイス識別情報に従ってその場所を決定できるように、第２の識別情報をさらに含み得る。第２の識別情報は、MajorID、MinorIDまたはその両方の組合せを含み得る。
【００３８】
第２の識別情報は、ブロードキャストメッセージのデバイス識別情報と部分的にまたは全体的に重複してもよい。例えば、第２の識別情報のMajorIDおよびMinorIDがデバイス識別情報のMajorIDおよびMinorIDと重複する際、端末デバイスは、第２の識別情報とデバイス識別情報との結合セットとして無線通信デバイスの識別情報を決定することができる。さらに、端末デバイスは、端末デバイスの場所を決定するために、無線通信デバイスの識別情報に従って、サーバ上のデータベースを検索することができ、データベースは、無線通信デバイスの識別情報と物理的な場所との間のマッピング関係を含む。
【００３９】
図３は、この開示のいくつかの実施形態と一致する、別の例示的な無線通信方法３００のフローチャートである。例示的な方法３００は、ＩＯＳデバイスおよびＢＬＥ技術をサポートする他のデバイスなどの端末デバイスによって実行することができる。図３を参照すると、方法３００は、以下のステップを含む。
【００４０】
ステップＳ３０１では、端末デバイスは、無線通信デバイスによって送信されたブロードキャストメッセージを受信する。ブロードキャストメッセージは、無線通信デバイスのデバイス識別情報を含み、デバイス識別情報は、ＵＵＩＤ、MajorID、MinorIDまたはそれらの組合せを含み得る。ブロードキャストメッセージは、図１のステップＳ１０１と関係して上記で説明されており、本明細書では繰り返さない。
【００４１】
ステップＳ３０２では、端末デバイスは、ブロードキャストメッセージを受信することに応答して、走査要求メッセージを無線通信デバイスに送信する。例えば、端末デバイス（ＩＯＳデバイス）は、ブロードキャストメッセージを受信した後で、ユニキャスト走査要求メッセージをiBeaconデバイスに送信するようにトリガすることができる。いくつかの実装形態では、このステップは、ソフトウェアプログラムを使用して実行することができる。例えば、iBeaconアプリケーションのＡＰＰが端末デバイスにインストールされ、その結果、端末デバイスがBluetoothを起動すると、端末デバイスは、ブロードキャストメッセージを受信した後で走査要求メッセージを送信するようにトリガされ、走査要求を送信するために受動走査状態から送信状態に切り替えられる。
【００４２】
ステップＳ３０３では、端末デバイスは、無線通信デバイスによって送信された走査応答メッセージを受信し、走査応答メッセージは、属性データを含む。属性データは、無線通信デバイスが位置する物理的な場所と関連付けられたコンテンツの識別情報を含み得る。走査応答メッセージを受信した後、端末デバイスは、属性データに従って、無線通信デバイスが位置する物理的な場所と関連付けられたコンテンツを取得することができる。いくつかの実施形態では、走査応答メッセージは、無線通信デバイスの第２の識別情報をさらに含み得、第２の識別情報は、MajorID、MinorIDまたはその両方の組合せを含み得る。走査応答メッセージおよび属性データは、図１のステップＳ１０３と関係して上記で説明されており、本明細書では繰り返さない。
【００４３】
端末デバイスが無線通信デバイスによって送信された走査応答メッセージを受信した後、端末デバイスは、ブロードキャストメッセージのデバイス識別情報および走査応答メッセージの第２の識別情報に従って、無線通信デバイスの識別情報を決定することができる。端末デバイスは、端末デバイスの物理的な場所を決定するために、無線通信デバイスの識別情報に従って、データベースを検索することができ、データベースは、無線通信デバイスの識別情報と物理的な場所との間のマッピング関係を含み得る。そうすることで、端末デバイスは、受信したブロードキャストメッセージおよび走査応答メッセージに従って、ＵＵＩＤ、MajorID、MinorIDおよび属性データを取得して、現在の物理的な場所情報および物理的な場所の属性情報を回収することができる。
【００４４】
図４は、この開示のいくつかの実施形態と一致する、例示的な無線通信方法４００のフロー図である。図４に示されるように、例示的な方法４００では、走査応答メッセージは、走査要求メッセージを受信することに応答して、無線通信デバイスから端末デバイスに送信される。無線通信デバイスおよび端末デバイスで実行される処理はそれぞれ、図１および図３と関係して上記で説明されており、本明細書では繰り返さない。
【００４５】
図５は、この開示のいくつかの実施形態と一致する、別の例示的な無線通信方法５００のフロー図である。図５に示されるように、複数の端末デバイスが同じ無線通信デバイスのサービスエリア内に位置している際、無線通信デバイスのブロードキャストメッセージは、複数の端末デバイスに同時に送信することができ、ブロードキャストメッセージを受信する各端末デバイスは、走査要求メッセージを無線通信デバイスに送信するようにトリガされ、それにより、ポイントツーマルチポイント通信が達成される。
【００４６】
本開示で提供される無線通信方法は、ＢＬＥプロトコルの走査応答メッセージで属性データを送信するステップを含み、それにより、無線通信デバイスが属性データを送信する能力を強化する。そうすることで、無線通信デバイスは、ＢＬＥ接続を確立する必要がない際に無線通信デバイスの低消費電力を維持しながら、動的な物理的な場所属性を端末デバイスにリアルタイムで伝達することができる。
【００４７】
いくつかの実装形態では、本開示で提供される通信方法は、メディア情報再生デバイスによって再生されているメディア情報をユーザが容易に取得できるように、地下鉄駅、空港、デパートまたは同様のものでマウントされている大画面の再生デバイスなどのオフラインメディア再生デバイスを含むメディア情報再生デバイスに適用することができる。メディア情報の識別情報は、端末デバイスに提供することができ、ユーザは、端末デバイスを通じてメディア情報を取得することができる。例えば、メディア情報再生デバイスがある特定の商品の広告を再生している際、ユーザの端末デバイスは、販売および価格などの情報を含めて、ある特定の電子商取引プラットフォームで商品に関連する詳細なページを表示することができる。オフラインメディア再生は、一般に、２つの共通の実装形態、すなわち、（１）プレーヤおよび記憶媒体（ＵＳＢディスク、ＳＤカード、モバイルハードディスクなど）が装備された表示デバイス、（２）表示デバイスおよび別体の再生デバイス（別体の再生デバイスは、ビデオロッド、メディアボックス、ＰＣ、スマートＴＶおよび同様のものを含み得る）を含む。
【００４８】
図６は、この開示のいくつかの実施形態と一致する、別の例示的な無線通信方法６００のフローチャートである。例示的な方法６００は、本明細書の無線通信デバイスが装備されたメディア情報再生デバイスによって実行することができる。メディア情報再生デバイスは、少なくとも１つのメディア情報を格納することができ、メディア情報の識別情報を含む対応テーブルを格納することができる。図６を参照すると、方法６００は、以下のステップを含む。
【００４９】
ステップＳ６０１では、無線通信デバイスは、無線通信デバイスのサービスエリア内の端末デバイスにブロードキャストメッセージを送信する。ブロードキャストメッセージは、無線通信デバイスのデバイス識別情報を含む。
【００５０】
ステップＳ６０２では、無線通信デバイスは、端末デバイスによって送信された走査要求メッセージを受信する。走査要求メッセージは、メディア情報再生デバイスで現在再生されているメディア情報と関連付けられたコンテンツの取得を求める要求を含み得る。
【００５１】
いくつかの実装形態では、ユーザが端末デバイスのＡＰＰを開くと、端末デバイスは、メディア情報再生デバイスで現在再生されているメディア情報と関連付けられたコンテンツを取得するために、ブロードキャストメッセージを受信した後で、走査要求メッセージを無線通信デバイスに送信するようにトリガすることができる。
【００５２】
ステップＳ６０３では、無線通信デバイスは、対応テーブルに従って、現在再生されているメディア情報と関連付けられたコンテンツの識別情報を決定する。走査要求メッセージを受信した後、無線通信デバイスは、プリセット対応テーブルに従って、現在再生されているメディア情報およびメディア情報に対応するコンテンツの識別情報を決定することができる。
【００５３】
対応テーブルは、メディア情報再生デバイスに事前に格納することができ、対応テーブルに格納されたコンテンツの様々な種類の識別情報が存在し得る。例えば、識別情報は、メディア情報と関連付けられたコンテンツのタイトルを含み得、タイトルが端末デバイスに提供された後、端末デバイスは、コンテンツの詳細な情報を取得するために、事前に構成された検索エンジンを始動して、キーワードとしてタイトルを使用することによって検索することができる。別の例として、識別情報は、コンテンツのネットワークアドレス（ＵＲＬなど）を含み得、ネットワークアドレスが端末デバイスに提供された後、端末デバイスは、ＵＲＬにアクセスすることによってコンテンツの詳細な情報を直接取得することができる。
【００５４】
いくつかの実施形態では、コンテンツの識別情報は、事前に定義されたＩＤ情報によって表すこともできる。そうすることで、識別情報が端末デバイスに送信される際に、メッセージのサイズを低減することができる。例えば、ＩＤは、前もってメディア情報に分配し、対応テーブルに格納することができる。コンテンツのＩＤを取得した後、端末デバイスは、サーバに要求を送信することができ、サーバは、ＩＤとコンテンツのネットワークアドレスとの間の関連付け関係などの関連付け関係を格納する。サーバは、端末デバイスがネットワークアドレスを使用することによってコンテンツの詳細な情報を取得できるように、ＩＤと関連付けられたコンテンツのネットワークアドレスを端末デバイスに返すことができる。
【００５５】
ステップＳ６０４では、無線通信デバイスは、走査要求メッセージを受信することに応答して、走査応答メッセージを端末デバイスに送信する。走査応答メッセージは、端末デバイスが識別情報に従ってコンテンツを取得できるように、コンテンツの識別情報を含む。例えば、コンテンツは、ある特定の電子商取引プラットフォームにおけるある特定の商品対象の詳細なページであり得、価格およびユーザコメントなど、ユーザが興味を示し得る情報を含み得る。
【００５６】
いくつかの実施形態では、走査応答メッセージは、端末デバイスがネットワークアドレスへのアクセスを通じてコンテンツを取得できるように、コンテンツのネットワークアドレスを含み得る。他の実施形態では、走査応答メッセージは、端末デバイスがＩＤ情報を使用してサーバからコンテンツのネットワークアドレスを取得し、ネットワークアドレスへのアクセスを通じてコンテンツを取得できるように、コンテンツのＩＤ情報を含み得る。
【００５７】
方法６００では、無線通信デバイスは、ブロードキャストを通じて、デバイス識別情報を定期的にブロードキャストすることができ、無線通信デバイスと端末デバイスとの間のＢＬＥ接続を確立する必要はなく、それにより、ユーザは、再生デバイスで再生されているメディア情報と関連付けられた他のコンテンツを好都合に取得することができる。
【００５８】
図７は、この開示のいくつかの実施形態と一致する、例示的な無線通信デバイス７００のブロック図である。図７を参照すると、無線通信デバイス７００は、送信ユニット７０１および受信ユニット７０２を含む。
【００５９】
送信ユニット７０１は、無線通信デバイス７００のサービスエリア内の端末デバイスにブロードキャストメッセージを送信するように構成される。ブロードキャストメッセージは、無線通信デバイスのデバイス識別情報を含み、デバイス識別情報は、ＵＵＩＤ、MajorID、MinorIDまたはそれらの組合せを含む。
【００６０】
受信ユニット７０２は、端末デバイスによって送信された走査要求メッセージを受信するように構成される。走査要求メッセージは、ブロードキャストメッセージを受信することに応答して、端末デバイスによって送信することができる。
【００６１】
送信ユニット７０１は、走査要求メッセージを受信することに応答して、走査応答メッセージを端末デバイスに送信するようにさらに構成される。走査応答メッセージは、無線通信デバイス７００の物理的な場所と関連付けられた属性データを含み得る。
【００６２】
いくつかの実施形態では、無線通信デバイスは、更新ユニット（図示せず）をさらに含み得る。更新ユニットは、受信ユニット７０２が次回に走査要求メッセージを受信した際に送信ユニット６０１が更新された走査応答メッセージを送信できるように、無線通信デバイスの属性が変化した際に走査応答メッセージの属性データをリアルタイムで更新するように構成される。
【００６３】
送信ユニット７０１によって送信された走査応答メッセージは、走査応答メッセージを受信する端末デバイスが第２の識別情報およびデバイス識別情報に従って端末デバイスの場所を決定できるように、第２の識別情報をさらに含み得る。第２の識別情報は、MajorID、MinorIDまたはその両方の組合せを含み得る。
【００６４】
いくつかの実施形態では、無線通信デバイス７００は、サーバがデバイス識別情報と物理的な場所との間のマッピング関係をデータベースに格納できるように、デバイス識別情報をサーバに登録するように構成された登録ユニット（図示せず）をさらに含み得る。
【００６５】
図８は、この開示のいくつかの実施形態と一致する、例示的な端末デバイス８００のブロック図である。図８を参照すると、端末デバイス８００は、受信ユニット８０１および送信ユニット８０２を含む。
【００６６】
受信ユニット８０１は、無線通信デバイスによって送信されたブロードキャストメッセージを受信するように構成される。ブロードキャストメッセージは、無線通信デバイスのデバイス識別情報を含み、デバイス識別情報は、ＵＵＩＤ、MajorID、MinorIDまたはそれらの組合せを含む。
【００６７】
送信ユニット８０２は、受信ユニット８０１がブロードキャストメッセージを受信した後で、走査要求メッセージを無線通信デバイスに送信するように構成される。
【００６８】
受信ユニット８０１は、無線通信デバイスによって送信された走査応答メッセージを受信するようにさらに構成され、走査応答メッセージは、無線通信デバイスと関連付けられた属性データを含み得る。受信ユニット８０１によって受信された走査応答メッセージは、無線通信デバイスの第２の識別情報をさらに含み得、第２の識別情報は、MajorID、MinorIDまたはその両方の組合せを含み得る。
【００６９】
いくつかの実施形態では、端末デバイス８００は、決定ユニットおよび検索ユニット（図示せず）をさらに含み得る。決定ユニットは、受信ユニット８０１が走査応答メッセージを受信した後に、ブロードキャストメッセージのデバイス識別情報および走査応答メッセージの第２の識別情報に従って、無線通信デバイスの識別情報を決定するように構成される。
【００７０】
検索ユニットは、決定ユニットによって決定された無線通信デバイスの識別情報に従って端末デバイスの場所を決定するためにデータベースを検索するように構成される。データベースは、無線通信デバイスの識別情報と物理的な場所との間のマッピング関係を含み得る。
【００７１】
図９は、この開示のいくつかの実施形態と一致する、別の例示的な無線通信デバイス９００のブロック図である。無線通信デバイスは、メディア情報再生デバイスの一部またはすべてとして実装することができる。図９を参照すると、無線通信デバイス９００は、送信ユニット９０１、受信ユニット９０２および処理ユニット９０３を含む。
【００７２】
送信ユニット９０１は、無線通信デバイスのサービスエリア内の端末デバイスにブロードキャストメッセージを送信するように構成され、ブロードキャストメッセージは、無線通信デバイスのデバイス識別情報を含む。
【００７３】
受信ユニット９０２は、端末デバイスによって送信された走査要求メッセージを受信するように構成され、走査要求メッセージは、メディア情報再生デバイスで現在再生されているメディア情報と関連付けられたコンテンツの取得を求める要求を含む。
【００７４】
処理ユニット９０３は、対応テーブルに従って、現在再生されているメディア情報と関連付けられたコンテンツの識別情報を決定するように構成される。
【００７５】
送信ユニット９０１は、走査要求メッセージを受信することに応答して、走査応答メッセージを端末デバイスに送信するようにさらに構成される。走査応答メッセージは、端末デバイスが識別情報に従ってコンテンツを取得できるように、コンテンツの識別情報を含む。
【００７６】
本開示で提供される無線通信方法およびデバイスは、ＢＬＥプロトコルの走査応答メッセージで属性データを送信し、それにより、無線通信デバイスが属性データを送信する能力を強化する。そうすることで、無線通信デバイスは、ＢＬＥ接続を確立する必要がない際に無線通信デバイスの低消費電力を維持しながら、動的な物理的な場所属性を端末デバイスにリアルタイムで伝達することができる。
【００７７】
例示的な実施形態では、命令を含む非一時的なコンピュータ可読記憶媒体も提供され、命令は、上記で説明される方法を実行するために、デバイス（端末デバイス、サーバ、パーソナルコンピュータまたは同様のものなど）によって実行することができる。デバイスは、１つまたは複数のプロセッサ（ＣＰＵ）、入力／出力インタフェース、ネットワークインタフェースおよび／またはメモリを含み得る。例えば、非一時的なコンピュータ可読記憶媒体は、読み取り専用メモリ（ＲＯＭ）、ランダムアクセスメモリ（ＲＡＭ）、コンパクトディスク読み取り専用メモリ（ＣＤ−ＲＯＭ）、磁気テープ、フロッピー（登録商標）ディスクおよび光データ記憶装置などであり得る。
【００７８】
本明細書の「第１の」および「第２の」などの関係語は、実体または動作を別の実体または動作と区別するためだけに使用され、これらの実体または動作間の実際のいかなる関係または順番も必要とされないかまたは含意しないことに留意すべきである。その上、「含む（comprising、containing、including）」、「有する（having）」および他の同様の形態は、意味が同等であることが意図され、これらの用語のいずれか１つに続く１つまたは複数のアイテムが、そのような１つまたは複数のアイテムの網羅的なリストではない、あるいは、リストに記載される１つまたは複数のアイテムのみに限定されないという点で、制限されないことが意図される。
【００７９】
当業者であれば、上記で説明される実施形態は、ハードウェア、ソフトウェア（プログラムコード）、または、ハードウェアとソフトウェアの組合せによって実装できることが理解されよう。ソフトウェアによって実装される場合は、それは、上記で説明されるコンピュータ可読媒体に格納することができる。プロセッサによって実行される際、ソフトウェアは、開示される方法を実行することができる。この開示で説明されるコンピューティングユニットおよび他の機能ユニットは、ハードウェア、ソフトウェア、または、ハードウェアとソフトウェアの組合せによって実装することができる。また、当業者であれば、上記で説明されるモジュール／ユニットの複数のものを１つのモジュール／ユニットとして組み合わせることができ、上記で説明されるモジュール／ユニットの各々を複数のサブモジュール／サブユニットにさらに分割できることも理解されよう。
【００８０】
本発明の他の実施形態は、本明細書を考慮することからおよび本明細書で開示される本発明を実践することから、当業者に明らかになるであろう。この出願は、その一般原理に従う、当技術分野で知られているものまたは慣例の範囲内に入るような本開示からの逸脱を含む、本発明のいかなる変形、使用または適応も包含することが意図される。本明細書および諸例は単なる例示と見なされ、本発明の真の範囲および精神は以下の請求項によって示されることが意図される。
【００８１】
本発明は、上記で説明され、添付の図面に示される正確な構造に限定されず、その範囲から逸脱することなく様々な変更および変化を行うことができることが理解されよう。本発明の範囲は、添付の請求項によってのみ制限されるべきであることが意図される。
【図１】
2020025326.tif 000003
【図２】
2020025326.tif 000004
【図３】
2020025326.tif 000005
【図４】
2020025326.tif 000006
【図５】
2020025326.tif 000007
【図６】
2020025326.tif 000008
【図７】
2020025326.tif 000009
【図８】
2020025326.tif 000010
【図９】
2020025326.tif 000011
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
無線通信デバイスによって、ブロードキャストメッセージを端末デバイスに送信するステップであって、前記ブロードキャストメッセージが、前記無線通信デバイスの第１の識別情報を含む、ステップと、
前記無線通信デバイスによって、前記端末デバイスによって送信された走査要求メッセージを受信するステップと、
前記走査要求メッセージを受信することに応答して、前記無線通信デバイスによって、走査応答メッセージを前記端末デバイスに送信するステップであって、前記走査応答メッセージが、前記無線通信デバイスを識別するための第２の識別情報を含む、ステップとを含み、前記ブロードキャストメッセージの前記第１の識別情報および前記走査応答メッセージの前記第２の識別情報は、前記無線通信デバイスの第３の識別情報を決定するために使用され、前記端末デバイスの場所が、前記無線通信デバイスの前記第３の識別情報と前記無線通信デバイスの物理的な場所との間のマッピング関係を格納するデータベースに基づいて決定される、
無線通信方法。
【請求項２】
前記第１の識別情報が、ＵＵＩＤ（Universally Unique Identifier）、MajorIDおよびMinorIDの少なくとも１つを含む、請求項１に記載の方法。
【請求項３】
前記第２の識別情報が、MajorIDおよびMinorIDの少なくとも１つを含む、請求項１に記載の方法。
【請求項４】
前記無線通信デバイスによって、前記第１の識別情報をサーバに登録するステップ
をさらに含む、請求項１に記載の方法。
【請求項５】
端末デバイスによって、無線通信デバイスによって送信されたブロードキャストメッセージを受信するステップであって、前記ブロードキャストメッセージが、前記無線通信デバイスの第１の識別情報を含む、ステップと、
前記ブロードキャストメッセージを受信した後で、前記端末デバイスによって、走査要求メッセージを前記無線通信デバイスに送信するステップと、
前記端末デバイスによって、前記無線通信デバイスによって送信された走査応答メッセージを受信するステップであって、前記走査応答メッセージが、前記無線通信デバイスを識別するための第２の識別情報を含む、ステップと、
前記ブロードキャストメッセージの前記第１の識別情報および前記走査応答メッセージの前記第２の識別情報に基づいて、前記無線通信デバイスの第３の識別情報を決定するステップと、
前記無線通信デバイスの前記決定された第３の識別情報に基づいてデータベースを検索するステップであって、前記データベースは、前記無線通信デバイスの前記決定された第３の識別情報と前記無線通信デバイスの物理的な場所との間のマッピング関係を含む、ステップと、
前記無線通信デバイスの物理的な場所に基づいて、前記端末デバイスの場所を決定するステップと、
を含む、無線通信方法。
【請求項６】
前記第１の識別情報が、ＵＵＩＤ（Universally Unique Identifier）、MajorIDおよびMinorIDの少なくとも１つを含む、請求項６に記載の方法。
【請求項７】
前記第２の識別情報が、MajorIDおよびMinorIDの少なくとも１つを含む、請求項６に記載の方法。
【請求項８】
無線通信デバイスであって、
ブロードキャストメッセージを端末デバイスに送信するように構成された送信ユニットであって、前記ブロードキャストメッセージが、前記無線通信デバイスの第１の識別情報を含む、送信ユニットと、
前記端末デバイスによって送信された走査要求メッセージを受信するように構成された受信ユニットと
を含み、前記送信ユニットが、前記走査要求メッセージを受信することに応答して、走査応答メッセージを前記端末デバイスに送信するようにさらに構成され、前記走査応答メッセージが、前記無線通信デバイスを識別するための第２の識別情報を含み、前記ブロードキャストメッセージの前記第１の識別情報および前記走査応答メッセージの前記第２の識別情報は、前記無線通信デバイスの第３の識別情報を決定するために使用され、前記端末デバイスの場所が、前記無線通信デバイスの前記第３の識別情報と前記無線通信デバイスの物理的な場所との間のマッピング関係を格納するデータベースに基づいて決定される、
無線通信デバイス。
【請求項９】
無線通信デバイスによって送信されたブロードキャストメッセージを受信するように構成された受信ユニットであって、前記ブロードキャストメッセージが、前記無線通信デバイスの第１の識別情報を含む、受信ユニットと、
前記受信ユニットが前記ブロードキャストメッセージを受信した後で、走査要求メッセージを前記無線通信デバイスに送信するように構成された送信ユニットであって、前記受信ユニットが、前記無線通信デバイスによって送信された走査応答メッセージを受信するようにさらに構成され、前記走査応答メッセージが、前記無線通信デバイスを識別するための第２の識別情報を含む、送信ユニットと、
前記ブロードキャストメッセージの前記第１の識別情報および前記走査応答メッセージの前記第２の識別情報に基づいて、前記無線通信デバイスの第３の識別情報を決定するように構成された決定ユニットと、
前記無線通信デバイスの前記決定された第３の識別情報に基づいてデータベースを検索し、前記端末デバイスの場所を決定するように構成された検索ユニットであって、前記データベースが、前記無線通信デバイスの前記決定された第３の識別情報と前記無線通信デバイスの物理的な場所との間のマッピング関係を含む、検索ユニットと、
を含む、端末デバイス。
【請求項１０】
命令を記憶する非一時的コンピュータ可読記憶媒体であって、前記命令は、無線通信デバイスの１つまたは複数のプロセッサによって、前記無線通信デバイスに無線通信方法を実行させるように、実行可能であり、前記方法は、
ブロードキャストメッセージを端末デバイスに送信するステップであって、前記ブロードキャストメッセージが、前記無線通信デバイスの第１の識別情報を含む、ステップと、
前記端末デバイスによって送信された走査要求メッセージを受信するステップと、
前記走査要求メッセージを受信することに応答して、走査応答メッセージを前記端末デバイスに送信するステップであって、前記走査応答メッセージが、前記無線通信デバイスを識別するための第２の識別情報を含み、前記ブロードキャストメッセージの前記第１の識別情報および前記走査応答メッセージの前記第２の識別情報は、前記無線通信デバイスの第３の識別情報を決定するために使用され、前記端末デバイスの場所が、前記無線通信デバイスの前記第３の識別情報と前記無線通信デバイスの物理的な場所との間のマッピング関係を格納するデータベースに基づいて決定される、ステップと
を含む、非一時的コンピュータ可読記憶媒体。
【請求項１１】
命令を記憶する非一時的コンピュータ可読記憶媒体であって、前記命令は、端末デバイスの１つまたは複数のプロセッサによって、前記端末デバイスに無線通信方法を実行させるように、実行可能であり、前記方法は、
無線通信デバイスによって送信されたブロードキャストメッセージを受信するステップであって、前記ブロードキャストメッセージが、前記無線通信デバイスの第１の識別情報を含む、ステップと、
前記ブロードキャストメッセージを受信した後で、走査要求メッセージを前記無線通信デバイスに送信するステップと、
前記無線通信デバイスによって送信された走査応答メッセージを受信するステップであって、前記走査応答メッセージが、前記無線通信デバイスを識別するための第２の識別情報を含む、ステップと、
前記ブロードキャストメッセージの前記第１の識別情報および前記走査応答メッセージの前記第２の識別情報に基づいて、前記無線通信デバイスの第３の識別情報を決定するステップと、
前記無線通信デバイスの前記決定された第３の識別情報に基づいてデータベースを検索するステップであって、前記データベースは、前記無線通信デバイスの前記決定された第３の識別情報と前記無線通信デバイスの物理的な場所との間のマッピング関係を含む、ステップと、
前記無線通信デバイスの物理的な場所に基づいて、前記端末デバイスの場所を決定するステップと、
を含む、非一時的コンピュータ可読記憶媒体。
【外国語明細書】
2020025326000001.pdf